(57)【要約】      （修正有）【課題】内容物を包装箱に封入する際の作業コストを増大させることなく、不正販売を防止することができ、かつ、容易に開封することができる包装箱を提供する。【解決手段】上部開口３０１を有する筒状の胴部と、開口端３００から延設され、折り曲げられて開口端を閉鎖する蓋部３１０と、開口端から延設され、折り曲げられる係止フラップ３２０とを備える。係止フラップは、開口端近傍に差し込み穴３６０が形成される。蓋部は、先端側の縁部に連結され、下方向に折り曲げられ差し込み穴に係合させる差し込み片３５０と、差し込み片の連結部近傍に設けられた切込みにより形成され、水平方向外側に向かって突出する開封ハンドル部３１５と、開封ハンドル部の両端近傍から前記第１面側に向かって延びる一対のミシン目３１６、３１７とを有する。【選択図】図１
0003235080.tif 000002
【実用新案登録請求の範囲】
【請求項１】
互いに対向する第１面及び第２面を含む複数の平面が連なって形成され、開口端を有する筒状の胴部と、
前記開口端において前記第１面から延設され、前記第２面側へ折り曲げられて前記開口端に係る開口を閉鎖する蓋部と、
前記開口端において前記第２面から延設され、前記第１面側へ折り曲げられる係止フラップとを備え、
前記係止フラップは、前記第２面側の縁部近傍に差し込み穴が形成され、
前記蓋部は、
前記第２面側の縁部に連結され、下方向に折り曲げられ前記差し込み穴に係合させる差し込み片と、
前記差し込み片の連結部近傍に設けられた切込みにより形成され、水平方向外側に向かって突出する開封ハンドル部と、
前記開封ハンドル部の両端近傍から前記第１面側に向かって延びる一対のミシン目とを有することを特徴とする化粧品用包装箱。
【請求項２】
前記差し込み片は、先端部から前記連結部に向かって幅が広がるように傾斜する両側縁部を有し、その幅は前記連結部から離間した位置において最大となり、当該最大幅は、前記切込みの幅よりも広く、
前記開封ハンドル部は、前記差し込み片よりも幅が狭く、前記差し込み片の両側縁部よりも内側に形成されることを特徴とする請求項１に記載の化粧品用包装箱。
【考案の詳細な説明】
【技術分野】
【０００１】
本考案は、化粧品用包装箱に係り、さらに詳しくは、筒状の胴部の開口端において当該胴部から延設された蓋部を折り曲げて開口端を閉鎖する化粧品用包装箱の改良に関する。
【背景技術】
【０００２】
一般に、化粧品は、ガラス、樹脂、金属などの容器に収容され、当該容器が包装箱内に収納されて販売されている。このような包装箱には、様々な形状のものがあるが、サック箱（キャラメル箱）と呼ばれる包装箱が広く用いられている。
【０００３】
図７は、従来のサック箱２の一例を示した斜視図である。サック箱２は、筒状の胴部１００に蓋部３１０及び一対のサイドフラップ３３０，３４０が設けられている。胴部１００は、４つの平面を連結して構成され、矩形断面の内部空間を形成し、上部開口３０１を取り囲む上部開口端３００を有する。蓋部３１０は、上部開口端３００から胴部１００を構成する第１面を延設して形成され、上部開口端３００近傍において折り曲げられて上部開口３０１を閉鎖する。また、蓋部３１０の先端側の縁部３１１には、差し込み片４００が連結され、下方へ折り曲げられた差し込み片４００を胴部１００内に差し込むことにより、蓋部３１０の先端側が上部開口端３００に係止され、閉鎖状態を保持することができる。
【０００４】
サイドフラップ３３０，３４０は、第１面にそれぞれ隣接する胴部１００の２つの平面から延設して形成されるフラップである。いずれも上部開口端３００において折り曲げられて蓋部３１０よりも下方に配置され、蓋部３１０の両側縁３１２，３１３と胴部１００と間に隙間が形成されるのを防止している。
【０００５】
このような包装箱は、開閉自在であり、購入者が包装箱の内容物を容易に入れ替えることができる。このため、正規品を購入した後、包装箱の内容物を非正規品に入れ替え、正規品を装って販売する不正販売を行う者がいる。例えば、インターネット上のフリーマーケットサイトやオークションサイトにおいてこのような包装箱を悪用した不正販売が行われている。
【０００６】
この様な不正販売は、包装箱を開封する際にその痕跡が残るように包装箱を構成することによって防止することができると考えられる。このような不正販売防止策として、サック箱の蓋部をロック式に変更することが考えられる。
【０００７】
図８は、ロック式の蓋部を備えた従来のサック箱３の一例を示した斜視図である。サック部３は、差し込み片４００及び蓋部３１０の連結部（先端側の縁部３１１）の両端に切り込み４０１が形成されている。このような差し込み片４００を胴部１００内に差し込むことにより、差し込み片４００の切り込み縁部が、サイドフラップ３３０，３４０と係合し、差し込み片４００を簡単に引き抜くことができなくなる。差し込み片４００とサイドフラップ３３０，３４０の係合は、蓋部３１０を変形させなければ解除することができず、蓋部３１０がロックされる。
【０００８】
このようなサック箱３を開封するには、蓋部３１０を変形させて差し込み片４００とサイドラップ３３０，３４０との係合を解除しつつ、差し込み片４００を引き抜く必要がある。このため、開封の痕跡が残り、一旦開封された包装箱か否かを容易に見分けることができる。このため、ロック式のサック箱３を採用すれば、一旦開封して内容物を入れ替える不正販売を抑制することができる。
【０００９】
しかし、ロック式のサック箱３は、ロック式ではないサック箱２に比べて開封しにくく、開封操作の利便性を低下させるという問題があった。特に、化粧品の需要者は、つけ爪を装着している場合も少なくなく、ロック式のサック箱３は、一般の需要者による開封操作を煩雑化させるという問題があった。
【００１０】
また、胴部１００に対し蓋部３１０をバージンシールで固定することにより、包装箱を開封する際にバージンシールを剥離した痕跡が残るようにすることもできるが、ロック式の蓋部の場合と同様、つけ爪を装着している場合に開封しにくく、開封操作の利便性を低下させるという問題があった。
【００１１】
さらに、接着剤を用いて蓋部３１０を胴部１００に接着し、蓋部１００に開封用のミシン目を形成すれば、不可逆的な開封しかできなくなり、不正販売を抑制することができると考えられる。しかしながら、化粧品の包装箱への封入時に接着剤を用いた接着処理を行わなければならず、封入作業を複雑化させ、コストアップにつながるという問題があった。
【考案の概要】
【考案が解決しようとする課題】
【００１２】
本考案は、上記の事情に鑑みてなされたものであり、内容物を化粧品用包装箱に封入する際の作業コストを増大させることなく、不正販売を防止することができ、かつ、容易に開封することができる化粧品用包装箱を提供することを目的とする。より具体的には、内容物の封入時に接着処理を必要とせず、容易に開封することができ、かつ、開封後は開封時の痕跡が残る化粧品用包装箱を提供することを目的とする。
【課題を解決するための手段】
【００１３】
本考案による第１の実施態様による化粧品用包装箱は、互いに対向する第１面及び第２面を含む複数の平面が連なって形成され、開口端を有する筒状の胴部と、前記開口端において前記第１面から延設され、前記第２面側へ折り曲げられて前記開口端に係る開口を閉鎖する蓋部と、前記開口端において前記第２面から延設され、前記第１面側へ折り曲げられる係止フラップとを備える。また、前記係止フラップは、前記第２面側の縁部近傍に差し込み穴が形成される。さらに、前記蓋部は、前記第２面側の縁部に連結され、下方向に折り曲げられ前記差し込み穴に係合させる差し込み片と、前記差し込み片の連結部近傍に設けられた切込みにより形成され、水平方向外側に向かって突出する開封ハンドル部と、前記開封ハンドル部の両端近傍から前記第１面側に向かって延びる一対のミシン目とを有する。
【００１４】
このような構成を採用することにより、水平方向外側に向かって突出する開封ハンドルが、差し込み片に設けられ、開封ハンドルを引き上げることなく、差し込み片を引き抜くことが困難になる。このため、開封ハンドルを引き上げ、ミシン目に沿って蓋部を断裂させることにより、容易に開封することができる一方、差し込み片を差し込み穴から引き抜き、痕跡を残さずに開封することが困難になる。したがって、接着処理に伴う封入コストの増大を抑制し、容易に開封することができ、かつ、痕跡を残さず開封して内容物を差し替えて販売する不正販売を防止することができる。
【００１５】
本考案による第２の実施態様による化粧品用包装箱は、上記構成に加えて、前記差し込み片が、先端部から前記連結部に向かって幅が広がるように傾斜する両側縁部を有し、その幅が前記連結部から離間した位置において最大となり、当該最大幅が、前記切込みの幅よりも広く、前記開封ハンドル部が、前記差し込み片よりも幅が狭く、前記差し込み片の両側縁部よりも内側に形成される。
【００１６】
このような構成を採用することにより、差し込み片を差し込み穴に容易に差し込みことができる一方、差し込み片を差し込み穴から引き抜くのを困難にすることができる。
【考案の効果】
【００１７】
本考案によれば、内容物を化粧品用包装箱に封入する際の作業コストを増大させることなく、不正販売を防止することができ、かつ、容易に開封することができる化粧品用包装箱を提供することができる。より具体的には、内容物の封入時に接着処理を必要とせず、容易に開封することができ、かつ、開封後は開封時の痕跡が残る化粧品用包装箱を提供することができる。
【図面の簡単な説明】
【００１８】
【図１】本考案の実施形態による包装箱１の一構成例を示した展開図である。
【図２】包装箱１の組み立て後の様子を示した斜視図である。
【図３】包装箱１の包装箱１の組み立て時の様子を示した斜視図である。
【図４】包装箱１の包装箱１の組み立て時の様子を示した斜視図である。
【図５】包装箱１の包装箱１の組み立て時の様子を示した斜視図である。
【図６】包装箱１の開封後の様子を示した斜視図である。
【図７】従来のサック箱２の一例を示した斜視図である。
【図８】ロック式の蓋部を備えた従来のサック箱３の一例を示した斜視図である。
【考案を実施するための形態】
【００１９】
図１〜６は、本考案の実施形態による包装箱１の一構成例を示した図である。図１は、包装箱１の展開図であり、組み立て前の様子が示されている。図２は、包装箱１の組み立て後の様子を示した斜視図である。図３〜５は、包装箱１の組み立て時の様子を順に示した斜視図である。図６は、包装箱１の開封後の様子を示した斜視図である。
【００２０】
包装箱１は、化粧品を包装するための化粧品用包装箱である。化粧品は、ガラス、樹脂又は金属からなる容器に収容された状態で、包装箱１内に収納される。包装箱１は、厚紙を打ち抜き加工した後、組み立てることにより形成される。図１には、打ち抜き加工後の様子が示されている。
【００２１】
（１）胴部１００
包装箱１は、４つの平面１１０，１２０，１３０，１４０が連なって形成される筒状の胴部１００を有する。第１面１１０は、第２面１２０と対向し、第３面１３０及び第４面１４０とそれぞれ隣接する。また、第２面１２０の側縁部には糊代となる連結片１０１が延設され、第３面１３０の側縁部近傍に形成された貼付領域１０２に連結片１０１を貼付することにより、筒状の胴部１００が形成される。胴部１００は、断面が矩形の四角柱からなる内部空間を形成する筒状体であり、上下方向の開口端２００，３００に開口２０１，３０１を有し、下部開口２０１は、底部２０により閉鎖され、上部開口３０１は、蓋部３１０により閉鎖される。
【００２２】
（２）底部２０
下部開口２０１は、いわゆるワンタッチ底として機能する底部２０により閉鎖される。ワンタッチ底は、平面状にノックダウンさせることができ、引き起こすことにより自動的に底部が組み上がる構造である。底部２０は、４つの底部フラップ２１０〜２４０により構成される。底部フラップ２１０〜２４０は、下部開口端２００において４つの平面１１０〜１４０からそれぞれ延設されたフラップであり、隣接する底部フラップ２１０及び２３０が互いに貼付されて第１底部片を構成し、隣接する底部フラップ２２０及び２４０が互いに貼付されて第２底部片を構成する。第１底部片及び第２底部片は、胴部１００を筒状に組み立てた状態では互いに嵌合して強固な底部２０を形成する一方、互いに離間させて嵌合を解除することにより、平面形状になるように胴部１００を折り畳むことができる。
【００２３】
（３）蓋部３１０
上部開口３０１は、係止フラップ３２０に係止された蓋部３１０により閉鎖される。蓋部３１０による閉鎖後は、開封ハンドル３１５を引き上げることにより、ミシン目３１６，３１７に沿って蓋部３１０を断裂させて開封することができる。蓋部３１０は、上部開口端３００において第１面１１０から延設され、上部開口３０１と略同一の形状、つまり、略矩形の形状を有する。このため、上部開口端３００において蓋部３１０を第２面１２０側へ折り曲げることにより、上部開口３０１を覆うことができる。
【００２４】
（４）差し込み片３５０
蓋部３１０は、第２面１２０側の縁部３１１に差し込み片３５０が連結されている。差し込み片３５０は、蓋部３１０よりも幅が狭く、蓋部３１０との連結部３５４は、蓋部３１０の縁部３１１の幅方向の略中央に位置する。差し込み片３５０は、蓋部３１０との連結部３５４近傍において下方向に折り曲げられ、係止フラップ３２０の差し込み穴３６０に差し込むことができる。
【００２５】
差し込み片３５０の両側縁部３５１，３５２は、いずれも外側に向かって凸となる形状を有し、差し込み穴３６０に差し込まれた後は、差し込み穴３６０から容易に抜けないように係止される。両側縁部３５１，３５２は、先端縁部３５３から連結部３５４に向かって差し込み片３５０の幅が広がるように傾斜し、差し込み片３５０の幅は連結部３５４から離間した位置において最大となり、当該最大幅は、差し込み穴３６０の幅と同一、あるいは、やや広くなっている。このため、差し込み片３５０は、差し込み穴３６０に対しスムーズに挿入することができる一方で、差し込み後は、容易に抜くことができないように差し込み穴３６０内に係止される。
【００２６】
（５）開封ハンドル３１５、ミシン目３１６，３１７
開封ハンドル３１５は、開封時に引き上げ操作される操作手段であり、差し込み片３５０の折り曲げ線近傍、つまり、連結部３５４近傍に設けられた切込みにより形成される。開封ハンドル３１５は、差し込み片３５０よりも幅が狭く、差し込み片３５０の両側縁部３５１，３５２よりも内側に配置されている。
【００２７】
開封ハンドル３１５の切込みの一部は、折り曲げ線よりも差し込み片３５０側に配置され、開封ハンドル３１５は、蓋部３１０及び差し込み片３５０の両方に跨って形成されている。このため、差し込み片３５０を折り曲げることにより、差し込み片３５０から水平方向に突出するように開封ハンドル３１５が切り起こされる。このような開封ハンドル３１５を第２面１２０よりも水平方向外側に向かって僅かに突出させることにより、開封ハンドル３１５を指又は爪で引き上げる開封操作を容易化することができる。
【００２８】
開封ハンドル３１５の切込みの両端は、蓋部３１０上に形成され、第１面１１０に向かって延びる。開封ハンドル３１５の引き上げ操作により、ミシン目３１６，３１７の断裂が誘発されるように、ミシン目３１６，３１７は、その一端が開封ハンドル３１５の切込みの両端近傍にそれぞれ配置され、第１面１１０に向かって延びている。
【００２９】
ミシン目３１６，３１７は、断続的に形成された多数の切込みで構成される。ミシン目３１６，３１７は、外側に向かって斜めに延びることにより、開封後に広い開口面積を確保することができる。ミシン目３１６は、第１面１１０に近づくほど蓋部３１０の側縁部３１２に近づくように斜めに延び、ミシン目３１７は、第１面１１０に近づくほど蓋部３１０の側縁部３１３に近づくように斜めに延びる。つまり、ミシン目３１６，３１７は、第１面１１０に近づくほど幅が広がり、蓋部３１０の側縁部３１２，３１３にそれぞれ到達するように形成されている。
【００３０】
（６）係止フラップ３２０
係止フラップ３２０は、上部開口端３００において第２面１２０から延設されたフラップである。係止フラップ３２０は、上部開口端３００において第１面１１０側へ折り曲げられ、蓋部３１０の下方に配置される。係止フラップ３２０は、差し込み片３５０を差し込むための差し込み穴３６０を有する。
【００３１】
（７）差し込み穴３６０
差し込み穴３６０は、上部開口端３００近傍に設けられた切込みにより形成され、上部開口端３００に沿って延びる細長い形状を有するスリット状の開口である。差し込み穴３６０の長手方向の一部、例えば中央付近には、差し込み穴３６０の幅を係止フラップ３２０側へ広げる拡幅部３６１が設けられている。拡幅部３６１を設けることにより、差し込み穴３６０の幅を部分的に広げることができ、差し込み片３５０を容易に挿入することができる一方、差し込み後は容易に抜くことができないように差し込み片３５０を係止することができる。
【００３２】
差し込み穴３６０の切込みの一部は、係止フラップ３２０の折り曲げ線よりも係止フラップ３２０側に配置され、差し込み穴３６０は、係止フラップ３２０及び第２面１２０の両方に跨って形成されている。このため、係止フラップ３２０を折り曲げることにより、係止フラップ３２０から鉛直上方に突出するようにハンドル保護壁３６２〜３６４が切り起こされる。ハンドル保護壁３６２〜３６４は、突出量のより大きな２つの高壁３６２，３６４が、突出量のより小さな低壁３６３を挟むように形成されている。開封ハンドル３１５は、高壁３６２，３６４間に挟まれるように配置される。このため、開封ハンドル３１５が誤って操作され、意図せずに開封されるのを防止することができる。また、差し込み穴３６０に隣接して高壁３６２，３６４を設けることにより、差し込み穴３６０内に係止されている差し込み片３５０に触れにくくなり、差し込み片３５０を引き抜きにくくなる。このため、化粧品を入れ替えることを目的として、蓋部３１０を傷つけることなく開封する不正開封が行われるのを防止することができる。
【００３３】
（８）サイドフラップ３３０，３４０
サイドフラップ３３０，３４０は、互いに対向するように形成された一対のフラップである。サイドフラップ３３０は、上部開口端３００において第３面１３０から延設されたフラップであり、上部開口端３００において第４面１４０側へ折り曲げられ、蓋部３１０及び係止フラップ３２０間に配置される。同様にして、サイドフラップ３４０は、上部開口端３００において第４面１３０から延設されたフラップであり、上部開口端３００において第３面１３０側へ折り曲げられ、蓋部３１０及び係止フラップ３２０間に配置される。
【００３４】
（９）組み立て及び開封の方法
包装箱１は、製函業者により作成され、平面状にノックダウンされた状態で化粧品製造業者に納入される。化粧品製造業者は、納入された包装箱１を組み立てながら、化粧品を収納し、蓋部３１０を閉じて出荷する。打ち抜き加工、胴部１００の貼付処理、底部フラップ２１０〜２４０の貼付処理は、製函業者が行っているため、化粧品製造業者は、貼付処理を行うことなく、製品を完成させることができる。
【００３５】
図３は、ノックダウン状態の包装箱１の底部２０を引き起こした時の様子が示されている。下部開口２０１は、底部２０により閉鎖されている一方、上部開口３０１は、開放された状態のままである。図３では、係止フラップ３２０及びサイドフラップ３３０，３４０が、外側に向けて折り曲げられているが、折り曲げられていない状態であってもよい。
【００３６】
図４は、係止フラップ３２０を内側に向けて折り曲げた状態が示されている。係止フラップ３２０の折り曲げは、包装箱１内に化粧品（不図示）を収納した後に行われる。
【００３７】
図５は、サイドフラップ３３０，３４０を内側に向けて折り曲げた状態が示されている。最後に、蓋部３１０を内側に向けて折り曲げて、差し込み片３５０を差し込み穴３６０に差し込むことにより、上部開口３０１が閉鎖され、図２に示した完成状態になる。このとき、蓋部３１０は、上部開口３０１を閉鎖した状態で差し込み穴３６０に係止され、差し込み片３５０を容易に引き抜くことはできなくなる。
【００３８】
図６は、開封ハンドル３１５を引き上げて開封したときの様子が示されている。開封ハンドル３１５は、第２面１２０よりも外側へ突出するように配置されているために、指又は爪で容易に引き上げることができる。また、開封ハンドル３１５を引き上げることにより、ミシン目３１６，３１７に沿って蓋部３１０が断裂して開封されることから、一見しただけで開封済みであると理解することができる。
【００３９】
一方、差し込み片３５０は、両側縁部３５１，３５２が外側に凸となるように形成されているため、差し込み穴３６０から容易に引き抜くことができない。また、上部開口３０１から鉛直上方に突出する一対の高壁３６２，３６４が差し込み穴３６０に隣接して形成され、差し込み穴３６０に差し込まれている差し込み片３５０へのアクセスを妨げることから、差し込み片３５０を容易に引き抜くことができない。
【００４０】
したがって、ミシン目３１６，３１７による断裂を生じさせることなく、差し込み片３５０を引き抜くが困難になり、同一の包装箱１を使用し、内容物のみを差し替えて再販売する不正行為を防止することができる。
【００４１】
本実施の形態による包装箱１は、化粧品の封入を行う化粧品製造業者において接着処理を行うことなく不正開封を防止することができるため、封入工程のコストを増大させることなく、内容物を差し替えて再販売する不正行為を防止することができる。
【符号の説明】
【００４２】
１              包装箱
２０            底部
１００          胴部
１０１          連結片
１０２          貼付領域
１１０〜１４０  平面
２００          下部開口端
２０１          下部開口
２１０〜２４０  底部フラップ
３００      上  部開口端
３０１          上部開口
３１０          蓋部
３１１          縁部
３１２，３１３  側縁部
３１５          開封ハンドル
３１６，３１７  ミシン目
３２０          係止フラップ
３３０，３４０  サイドフラップ
３５０          差し込み片
３５１，３５２  両側縁部
３５３          先端縁部
３５４          連結部
３６０          差し込み穴
３６１          拡幅部
３６２，３６４  ハンドル保護壁（高壁）
３６３          ハンドル保護壁（低壁）
【図１】
0003235080.tif 000003
【図２】
0003235080.tif 000004
【図３】
0003235080.tif 000005
【図４】
0003235080.tif 000006
【図５】
0003235080.tif 000007
【図６】
0003235080.tif 000008
【図７】
0003235080.tif 000009
【図８】
0003235080.tif 000010